(57)【要約】【課題】簡素な仕組みにより障害発生の迅速な検知と障害からの迅速な復旧が可能なフリッカ監視システムを実現する。【解決手段】電力系統に生じるフリッカ情報を取得するフリッカ測定装４置と、フリッカ測定装置４と通信可能に接続される情報処理装置２と、フリッカ測定装置４の駆動電力を制御する遠隔電源制御装置５とを含むフリッカ監視システムにおいて、フリッカ測定装置４が、フリッカ情報を情報処理装置２に随時送信し、情報処理装置２が、フリッカ情報の受信時間間隔を監視し、予め設定された閾値時間以上、フリッカ情報を受信していないことを検知すると、遠隔電源制御装置５に駆動電力の制御信号を送信してフリッカ測定装置４をオフオンさせるようにする。上記受信時間間隔は、例えば現在時刻とファイル情報を格納したファイルのタイムスタンプとの時間差から取得するようにする。【選択図】図１
2012060826.tif 000002
【特許請求の範囲】
【請求項１】
電力系統に生じるフリッカに関する情報を取得するフリッカ測定装置と、
前記フリッカ測定装置と通信可能に接続される情報処理装置と、
前記フリッカ測定装置の駆動電力を遠隔制御する遠隔電源制御装置と、
を含むフリッカ監視システムであって、
前記フリッカ測定装置は、前記情報を前記情報処理装置に随時送信し、
前記情報処理装置は、前記情報を受信し、
前記情報処理装置は、前記情報の受信時間間隔を監視し、予め設定された閾値時間以上、前記情報を受信していないことを検知すると、前記遠隔電源制御装置に前記駆動電力の制御信号を送信して前記フリッカ測定装置をオフオンさせる
ことを特徴とするフリッカ監視システム。
【請求項２】
請求項１に記載のフリッカ監視システムであって、
前記情報処理装置ではファイルシステムが機能し、
前記情報処理装置は、特定のファイルに前記情報を追記していくことにより、前記フリッカ測定装置から受信した前記情報を特定のファイルに集約して管理し、現在時刻と前記ファイルのタイムスタンプとの時間差を前記情報の前記受信時間間隔として取得する
ことを特徴とするフリッカ監視システム。
【請求項３】
請求項１に記載のフリッカ監視システムであって、
前記フリッカ測定装置は、電源がオフオンされることにより、少なくともフリッカに関する前記情報を取得して前記情報処理装置に送信する機能を自動的に初期化する機能を備える
ことを特徴とするフリッカ監視システム。
【請求項４】
請求項１に記載のフリッカ監視システムであって、
前記情報処理装置の設置場所に併設され、前記フリッカ測定装置と通信可能に接続される警報装置をさらに含み、
前記フリッカ測定装置は、前記測定値に異常が生じている場合に前記警報装置に前記異常を通知し、
前記警報装置は、前記通知があるとユーザに異常を知らせる情報を出力する
ことを特徴とするフリッカ監視システム。
【請求項５】
請求項１に記載のフリッカ監視システムであって、
前記情報処理装置は、前記フリッカ測定装置及び前記遠隔電源制御装置とインターネットを介して通信可能に接続されている
ことを特徴とするフリッカ監視システム。
【請求項６】
電力系統に生じるフリッカに関する情報を取得するフリッカ測定装置と、
前記フリッカ測定装置と通信可能に接続される情報処理装置と、
前記フリッカ測定装置の駆動電力を遠隔制御する遠隔電源制御装置と、
を含むフリッカ監視システムによるフリッカ監視方法であって、
前記フリッカ測定装置は、前記情報を前記情報処理装置に随時送信し、
前記情報処理装置は、前記情報を受信し、
前記情報処理装置は、前記情報の受信時間間隔を監視し、予め設定された閾値時間以上、前記情報を受信していないことを検知すると、前記遠隔電源制御装置に前記駆動電力の制御信号を送信して前記フリッカ測定装置をオフオンさせる
ことを特徴とするフリッカ監視方法。
【発明の詳細な説明】
【技術分野】
【０００１】
この発明は、フリッカ監視システム、及びフリッカ監視方法に関し、とくにフリッカ監視システムに生じている障害発生の迅速な検知と障害からの迅速な復旧を簡素な仕組みにより実現する技術に関する。
【背景技術】
【０００２】
電力系統においては、アーク炉等の大電力を消費する設備の近隣において大電力設備の消費電力変動に起因するフリッカが問題となる。そこで電力品質を維持すべく、電力会社等においては、変電所の母線等にフリッカの監視施設を設けてフリッカの常時監視を行っている。
【０００３】
ここでフリッカを監視する仕組みに関し、例えば特許文献１には、フリッカ測定器と監視装置とを備え、該フリッカ測定器は、電圧入力ユニット及び電流入力ユニットを有する入力部と演算処理部とを備え、該電圧入力ユニットは、母線電圧の測定手段を備え、該電流入力ユニットは、母線からアーク炉及びフィーダへ供給される電流を測定する手段を備え、該演算処理部は、該入力部の通信制御装置との間で測定データや制御データの受け渡しを行う通信制御装置とＩ／Ｏ装置とを有する解析用コンピュータを備え、該解析用コンピュータ装置にはフリッカのΔＶ及びΔＶ１０電圧値の算出等を行なう演算処理プログラムが備えられ、計算結果をモニタに表示させると同時にハードディスクに記録して専用回線を介して該監視装置へ伝送し、該監視装置は、モニタ表示装置、モデム、プリンタ装置、処理用コンピュータ装置で構成され、該処理用コンピュータ装置は、常時伝送されるフリッカ測定器からのΔＶ１０値を処理してモニタ画面上にグラフ表示を行い、プリンタ装置によってデータをグラフ印字し、フリッカ発生量をプリンタ装置によって帳票印字して日報及び月報を印刷することが記載されている。
【先行技術文献】
【特許文献】
【０００４】
【特許文献１】特開平６−２８４５７９号公報
【発明の概要】
【発明が解決しようとする課題】
【０００５】
ところで、上記特許文献１におけるように、フリッカ測定器が回線を介して計算結果を監視装置に伝送する構成をとる場合、通常はフリッカ測定器側に生じた障害については何ら考慮されておらず、障害の発生が見過ごされてフリッカ測定器から監視装置へのデータ伝送が長時間停止してしまうという状況が生じ得る。また障害の発生が見過ごされた結果、監視装置側にて具体的な数値（例えばΔＶやΔＶ１０の変化）に基づく顧客への状況報告ができず、フリッカを生じさせている顧客に対する対応やフリッカの影響を受けている他の顧客へのサービスに支障を来す場合がある。また監視装置側ではフリッカ測定器の状況を把握することができないため、原因究明のためにフリッカ測定器の設置現場等に出向く等の対応が必要となり、復旧に長時間を要するとともに多大な作業負担が生じる。
【０００６】
一方、こうした問題に対応するため、例えばフリッカ測定器側の状況を監視装置側で随時把握することができるように、既存のシステムに新たなハードウエアやソフトウエアを導入することも考えられるが、多額の費用が発生する上、新たに導入した部分についてさらなる保守負担が発生するなど別の課題が新たに生じてしまう。またフリッカの監視は、通常は障害原因の特定よりも機能回復を優先させる復旧優先で行われるが、既存技術の多くは必ずしも復旧優先で設計されていないため、そのままフリッカの監視に適用しても復旧優先の運用に適さないことが多い。
【０００７】
本発明はこのような背景に鑑みてなされたもので、簡素な仕組みにより障害発生の迅速な検知と障害からの迅速な復旧を可能としたフリッカ監視システム、及びフリッカ監視方法を提供することを目的とする。
【課題を解決するための手段】
【０００８】
上記目的を達成するための本発明の一つは、電力系統に生じるフリッカに関する情報を取得するフリッカ測定装置と、前記フリッカ測定装置と通信可能に接続される情報処理装置と、前記フリッカ測定装置の駆動電力を遠隔制御する遠隔電源制御装置と、を含むフリッカ監視システムであって、前記フリッカ測定装置は、前記情報を前記情報処理装置に随時送信し、前記情報処理装置は、前記情報を受信し、前記情報処理装置は、前記情報の受信時間間隔を監視し、予め設定された閾値時間以上、前記情報を受信していないことを検知すると、前記遠隔電源制御装置に前記駆動電力の制御信号を送信して前記フリッカ測定装置をオフオンさせることとする。
【０００９】
本発明にあっては、情報処理装置がフリッカ測定装置からフリッカに関する情報を閾値時間以上受信していないことを検知した場合、情報処理装置が遠隔制御によりフリッカ測定装置の電源をオフオンさせてフリッカ測定装置を再起動させるので、フリッカ測定装置に何等かの障害が生じてフリッカに関する情報の収集に支障が生じている場合に、遠隔地からフリッカ測定装置の機能を復旧させることができる。そのため、情報処理装置側でのフリッカに関する情報の欠落を最小限に抑えることができ、常時電力品質が監視されるミッションクリティカルな運用を実現することができる。
【００１０】
本発明のうちの他の一つは、上記フリッカ監視システムであって、前記情報処理装置ではファイルシステムが機能し、前記情報処理装置は、特定のファイルに前記情報を追記していくことにより、前記フリッカ測定装置から受信した前記情報を特定のファイルに集約して管理し、現在時刻と前記ファイルのタイムスタンプとの時間差を前記情報の前記受信時間間隔として取得することとする。
【００１１】
このようにフリッカ情報の受信間隔については、フリッカ測定装置から受信した情報を特定のファイルに集約して管理し、現在時刻とファイルのタイムスタンプとの時間差を算出することで取得するので、複雑な仕組みや新たなハードウエアを追加することなく、フリッカ測定装置からのフリッカ情報の受信状態を監視する仕組みを容易に実現することができる。
【００１２】
本発明のうちの他の一つは、上記フリッカ監視システムであって、前記フリッカ測定装置は、電源がオフオンされることにより、少なくともフリッカに関する前記情報を取得して前記情報処理装置に送信する機能を自動的に初期化する機能を備えることとする。
【００１３】
このようにフリッカ測定装置としては、電源をオフオンすることにより、フリッカに関する情報を取得する機能、及びその情報を情報処理装置に送信する機能を自動的に初期化する機能を有するものを用いるので、障害が発生しているフリッカ測定装置の機能を遠隔からのオフオン制御により確実に復旧させることができる。
【００１４】
本発明のうちの他の一つは、上記フリッカ監視システムであって、前記情報処理装置の設置場所に併設され、前記フリッカ測定装置と通信可能に接続される警報装置をさらに含み、前記フリッカ測定装置は、前記測定値に異常が生じている場合に前記警報装置に前記異常を通知し、前記警報装置は、前記通知があるとユーザに異常を知らせる情報を出力することとする。
【００１５】
ユーザは本発明の警報装置によって異常の発生を迅速に知ることができる。そしてユーザはこの異常情報の出力をフリッカ測定装置から受信したフリッカ情報を詳細に調査するための契機とすることができ、ユーザはフリッカの異常に対して迅速に対策を講じることができる。またユーザのフリッカ情報の監視負担を軽減することができる。
【００１６】
本発明のうちの他の一つは、上記フリッカ監視システムであって、前記情報処理装置は、前記フリッカ測定装置及び前記遠隔電源制御装置とインターネットを介して通信可能に接続されていることとする。
【００１７】
このように情報処理装置とフリッカ測定装置との間、及び情報処理装置と遠隔電源制御装置との間のいずれについても、インターネットを介して接続しているので、フリッカ測定装置から情報処理装置へのフリッカ情報の送信、及び情報処理装置からの遠隔電源制御装置の制御を共通のプロトコルに従って行うことができ、各装置の通信インタフェースの簡素化及び共通化を図ることができる。
【００１８】
その他、本願が開示する課題、及びその解決方法は、発明を実施するための形態の欄、及び図面により明らかにされる。
【発明の効果】
【００１９】
本発明によれば、簡素な仕組みにより障害発生の迅速な検知と障害からの迅速な復旧が可能なフリッカ監視システムを実現することができる。
【図面の簡単な説明】
【００２０】
【図１】フリッカ監視システム１の概略的な構成を示す図である。
【図２】フリッカ測定装置４のハードウエアを示す図である。
【図３】フリッカ測定装置４の機能を示す図である。
【図４】情報処理装置２のハードウエアを示す図である。
【図５】情報処理装置２の機能を示す図である。
【図６】遠隔電源制御装置５のハードウエアを示す図である。
【図７】遠隔電源制御装置５の機能を示す図である。
【図８】警報装置３のハードウエアを示す図である。
【図９】警報装置３の機能を示す図である。
【図１０】フリッカ情報受信処理Ｓ１０００を説明するフローチャートである。
【図１１】受信状態監視処理Ｓ１１００を説明するフローチャートである。
【図１２】電源制御処理Ｓ１２００を説明するフローチャートである。
【図１３】オフオン指示受付画面１３００の一例を示す図である。
【発明を実施するための形態】
【００２１】
以下、実施形態につき図面を参照しつつ詳細に説明する。
【００２２】
図１に実施形態として説明するフリッカ監視システム１の概略的な構成を示している。同図に示すように、電力供給システム１は、電力系統の監視や制御を行っている電力会社の中央制御所等に設けられる、情報処理装置２及び警報装置３と、フリッカに関する情報（以下、フリッカ情報と称する。）の取得場所（例えば、変電所の母線等の周辺近傍）に設けられる、フリッカ測定装置４、遠隔電源制御装置５、及び警報接点６（例えば日本工業規格（ＪＩＳ）に規定されるａ接点）を含む。
【００２３】
同図に示すように、情報処理装置２、フリッカ測定装置４、及び遠隔電源制御装置５は、いずれもインターネット５１を介して通信可能に接続しており、いずれも固有のネットワークアドレス（ＩＰアドレス及びＭＡＣアドレス）が付与されている。尚、インターネット５１に代えて、専用線（電力系統制御用情報伝送システム（CDT：Cyclic Digital data Transmission equipment）、メタル線、光ファイバ等）、電力線通信（PLC:Power Line Communication）などを用いてもよい。同図に示すように、警報接点６とフリッカ測定装置４とは、専用線５２を介して通信可能に接続している。尚、専用線５２に代えて、インターネット５１や電力線通信を用いてもよい。
【００２４】
図２にフリッカ測定装置４のハードウエアを示している。同図に示すように、フリッカ測定装置４は、ＣＰＵ４１、メモリ４２（ＲＡＭ、ＲＯＭ等）、通信装置４３、計測装置４４、入力装置４５、出力装置４６、及び計時装置４７を備えている。
【００２５】
このうちＣＰＵ４１は、フリッカ測定装置４の統括的な制御を行う他、フリッカ測定装置４が備える様々な機能を実現する。メモリ４２には、様々なデータやＣＰＵ４１によって実行されるプログラムが格納される。通信装置４３は、インターネット５１又は専用線５２を介して行われる通信を実現するインタフェースや警報接点６を制御するための制御回路を含む。
【００２６】
計測装置４４は、変電所の母線電圧（例えば変圧器ＰＴを介して取得される電圧）や、変電所の母線電流（例えば変流器ＣＴを介して取得される電流）を測定し、測定したアナログの測定値をデジタル値に変換してＣＰＵ４１等に供給する。
【００２７】
入力装置４５は、操作ボタン、操作ダイヤル、タッチパネルなどの入力インタフェースである。出力装置４６は、液晶モニタや印字装置などの出力インタフェースである。計時装置４７は、現在日時や経過時間などの時間に関する情報を出力する回路でありＲＴＣ（Real Time Clock）等を用いて構成される。
【００２８】
図３にフリッカ測定装置４の機能を示している。同図に示すように、フリッカ測定装置４は、初期化処理部４１１、電圧電流測定部４１２、フリッカ情報生成部４１３、データ伝送処理部４１４、及び警報接点制御部４１５の各機能を備えている。尚、これらの機能は、フリッカ測定装置４が備えるハードウエアによって、もしくは、フリッカ測定装置４のＣＰＵ４１が、メモリ４２に格納されているプログラムを読み出して実行することにより実現される。
【００２９】
初期化処理部４１１は、フリッカ測定装置４の電源がオンにされた場合に、自動的にフリッカ測定装置４のハードウエア及びフリッカ測定装置４が備える機能（図３に示す機能）を初期化する処理を実行する。フリッカ測定装置４がこのような初期化処理部４１１を備えることで、フリッカ測定装置４の機能に何等かの障害（無限ループから抜け出せないことに起因する障害、遠隔制御が不能になる障害等）が発生した場合には、フリッカ測定装置４の電源をオフオンすることでフリッカ測定装置４のハードウエアや機能を確実に復旧させることができる。
【００３０】
電圧電流測定部４１２は、変電所の母線等のフリッカ情報の取得源からフリッカ情報の生成に必要な情報（例えば母線電圧や母線電流）を測定し、その測定値をデジタル値に変換する。
【００３１】
フリッカ情報生成部４１３は、電圧電流測定部４１２によって測定された測定値に基づき、フリッカ情報（例えば母線の電圧変動ΔＶ、フリッカ値（ΔＶ１０）等）を生成する。
【００３２】
データ伝送処理部４１４は、フリッカ情報生成部４１３によって生成されたフリッカ情報を情報処理装置２に随時送信する。例えば、情報処理装置２側（電力会社の中央制御所等）において、１時間連続して測定した１分間のデータの電圧フリッカ（ΔＶ１０）のうち、４番目に出現する最大値（以下、４番目最大と称する。）を所定の基準値（例えば０．４５Ｖ）と比較することによりフリッカに対する対策が必要であるか否かを判定するようにしている場合、データ伝送処理部４１４は１分ごとに情報処理装置２にフリッカ情報を送信する。
【００３３】
警報接点制御部４１５は、フリッカ情報生成部４１３によって生成されるフリッカ情報に基づき、情報処理装置２に併設されている警報装置３に警報を通知すべきか否かを判断する。警報を通知すべき場合、警報接点制御部４１５は警報接点６をオンに設定する。これにより専用線５２を介して警報装置３に警報が通知される。例えば警報接点制御部４１５は、前述した４番目最大が所定の基準値（例えば０．４５Ｖ）を超えたことを検知すると警報接点６をオンに設定して警報装置３に警報を通知する。電力会社の中央制御所の監視員等は、例えば警報装置３に上記警報が通知されたことをもって、フリッカ測定装置４の設置現場周辺のフリッカの発生状況を詳細に調べる契機とする。尚、このように、フリッカ監視システム１は、フリッカの異常をフリッカ情報を通知するルート（インターネット５１）とは別のルート（専用線５２）を通じて情報処理装置２に通知する構成を備えるので、フリッカの異常を確実に情報処理装置２側に伝えることができる。
【００３４】
図４に情報処理装置２のハードウエアを示している。同図に示すように、情報処理装置２は、ＣＰＵ２１、メモリ２２（ＲＡＭ、ＲＯＭ等）、通信装置２３、入力装置２４、出力装置２５、計時装置２６、及び外部記憶装置２７を備えている。
【００３５】
このうちＣＰＵ２１は、情報処理装置２の統括的な制御を行う他、情報処理装置２の様々な機能を実現する。メモリ２２には、データやＣＰＵ２１によって実行されるプログラムが格納される。通信装置２３は、インターネット５１を介した通信を実現するインタフェースである。
【００３６】
入力装置２４は、キーボードやマウス等の入力インタフェースである。出力装置２５は、液晶モニタや印字装置などである。計時装置２６は、現在日時や経過時間などの時間に関する情報を出力する回路でありＲＴＣ等を用いて構成される。外部記憶装置２７は、データやファイルが格納される、ハードディスクやＳＳＤ（Solid State Drive）等の不揮発性かつ大容量の記憶装置である。
【００３７】
図５に情報処理装置２の機能を示している。同図に示すように、情報処理装置２は、オペレーティングシステム２１１、データ受信部２１２、ファイル更新部２１３、障害監視部２１４、電源制御信号送信部２１５の各機能を備えている。尚、これらの機能は、情報処理装置２が備えるハードウエアによって、もしくは、情報処理装置２のＣＰＵ２１が、メモリ２２や外部記憶装置２７に格納されているプログラムを読み出して実行することにより実現される。
【００３８】
オペレーティングシステム２１１は、情報処理装置２のハードウエアと情報処理装置２にて実行されるアプリケーションとの間のインタフェースに関する機能を提供する。オペレーティングシステム２１５は、ファイルシステムを備えており、アプリケーションに対してファイル単位でのデータ管理機能を提供する。またファイルシステムは、管理対象となるファイルについて、夫々の更新日時（タイムスタンプ）を管理する。
【００３９】
データ受信部２１２は、フリッカ測定装置４から随時送られてくるフリッカ情報を受信する。ファイル更新部２１３は、データ受信部２１１が受信したフリッカ情報を、情報処理装置２のメモリ２２又は外部記憶装置２７に格納されているフリッカ情報ファイル２２１に追記する。尚、この追記に際し、オペレーティングシステム２１１によってフリッカ情報ファイル２２１のタイムスタンプが更新される。
【００４０】
障害監視部２１４は、フリッカ情報ファイル２２１のタイムスタンプに基づき、データ受信部２１２によるフリッカ情報の受信時間間隔を監視する。より詳細には、障害監視部２１４は、計時装置２６から取得される現在時刻とフリッカ情報ファイル２２１のタイムスタンプとの時間差を上記受信時間間隔として求め、求めた受信時間間隔が予め設定された閾値時間以上であるか否かを判断する。そして障害監視部２１４は、上記判断の結果、上記受信時間間隔が閾値時間以上であれば、データ受信部２１２によるフリッカ情報の受信に関して何等かの障害が発生していると判断し、電源制御信号送信部２１５を制御してフリッカ測定装置４の電源をオフオンさせる。
【００４１】
電源制御信号送信部２１４は、障害監視部２１３からの指示に応じて、フリッカ測定装置４に併設されている遠隔電源制御装置５にインターネット５１を介してフリッカ測定装置４の駆動電力の制御信号を送信し、フリッカ測定装置４の電源をオフオンさせる。
【００４２】
図６に遠隔電源制御装置５のハードウエアを示している。同図に示すように、遠隔電源制御装置５は、ＣＰＵ５１、メモリ５２、通信回路５３、及び電源制御部５４を備えている。ＣＰＵ５１は、遠隔電源制御装置５の統括的な制御を行う他、遠隔電源制御装置５が備える機能を実現する。メモリ５２には、データやＣＰＵ５１によって実行されるプログラムが格納される。通信装置５３は、インターネット５１を介した通信を実現するインタフェースである。電源制御部５４は、商用電力等からフリッカ測定装置４への駆動電力の供給をオフオン制御する回路であり、例えばサイリスタ（SCR（Silicon Controlled Rectifier: シリコン制御整流子））を用いて構成される。
【００４３】
図７に遠隔電源制御装置５の機能を示している。同図に示すように、遠隔電源制御装置５は、制御信号受信部５１１、及び電源オフオン制御部５１２を備えている。尚、これらの機能は、遠隔電源制御装置５が備えるハードウエアによって、もしくは、遠隔電源制御装置５のＣＰＵ５１が、メモリ５２に格納されているプログラムを読み出して実行することにより実現される。
【００４４】
制御信号受信部５１１は、情報処理装置２からインターネット５１を介して送られてくる、フリッカ測定装置４の駆動電力の制御信号を受信する。電源オフオン制御部５１２は、受信した上記制御信号に応じて、商用電力等からフリッカ測定装置４への駆動電力の供給をオフオンする。
【００４５】
図８に警報装置３のハードウエアを示している。同図に示すように、警報装置３は、ＣＰＵ３１、メモリ３２、通信回路３３、及び出力装置３４を備えている。ＣＰＵ３１は、警報装置３の統括的な制御を行う他、警報装置３が備える機能を実現する。メモリ３２には、データやＣＰＵ３１によって実行されるプログラムが格納される。通信装置３３は、専用線５２を介した通信を実現するインタフェースである。出力装置３４は、液晶モニタや印字装置などの出力インタフェースである。
【００４６】
図９に警報装置３の機能を示している。同図に示すように、警報装置３は、接点信号受信部３１１、及び警報出力部３１２を備える。尚、これらの機能は、警報装置３が備えるハードウエアによって、もしくは、警報装置３のＣＰＵ３１が、メモリ３２に格納されているプログラムを読み出して実行することにより実現される。
【００４７】
接点信号受信部３１１は、専用線５２を介して送られてくる警報接点６の状態（オン又はオフ）を受信する。警報出力部３１２は、接点信号受信部３１１により警報接点６がオンであることが検知された場合に、フリッカに関する異常が生じている旨を示す情報を出力装置３４に出力する。尚、警報装置３の機能を情報処理装置２にて実現するようにしてもよい。
【００４８】
次に以上の構成からなるフリッカ監視システム１において、情報処理装置２が行う処理について説明する。
【００４９】
図１０は、情報処理装置２によって行われる、フリッカ情報の受信及びフリッカ情報ファイル２２１の更新に関する処理（以下、フリッカ情報受信処理Ｓ１０００と称する。）を説明するフローチャートである。以下、同図とともにフリッカ情報受信処理Ｓ１０００について説明する。
【００５０】
情報処理装置２は、フリッカ測定装置４からフリッカ情報を受信したか否かをリアルタイムに監視している（Ｓ１０１１）。フリッカ情報を受信したことを検知すると（Ｓ１０１２）、情報処理装置２は、フリッカ情報ファイル２２１に、受信したフリッカ情報の内容を追記し（Ｓ１０１３）、フリッカ情報ファイル２２１を更新（上書き保存）する（Ｓ１０１４）。その後はＳ１０１１に戻る。尚、フリッカ情報ファイル２２１が更新されることにより、ファイルシステムによってフリッカ情報ファイル２２１のタイムスタンプもその更新日時に更新される。
【００５１】
図１１は、情報処理装置２によって行われる、フリッカ測定装置４から送られてくるフリッカ情報の受信状態の監視に関する処理（以下、受信状態監視処理Ｓ１１００と称する。）を説明するフローチャートである。以下、同図とともに受信状態監視処理Ｓ１１００について説明する。
【００５２】
まず情報処理装置２は、ファイルシステムからフリッカ情報ファイル２２１のタイムスタンプを取得する（Ｓ１１１１）。次に情報処理装置２は、計時装置４７から現在日時を取得する（Ｓ１１１２）。そして情報処理装置２は、取得した現在日時と取得したタイムスタンプとの時間差（＝現在日時−タイムスタンプ）を求め（Ｓ１１１３）、求めた時間差が予め設定された閾値時間（例えば５分）以上であるか否かを判断する（Ｓ１１１４）。そして時間差が閾値時間以上であれば（Ｓ１１１４：ＹＥＳ）、情報処理装置２は、出力装置２５にメッセージを出力し、フリッカ測定装置４から送られてくるフリッカ情報の受信状態に何等かの障害が発生している旨をユーザに報知する（Ｓ１１１５）。一方、時間差が閾値時間未満であれば（Ｓ１１１４：ＮＯ）、Ｓ１１１１に戻り、前述した処理を繰り返す。
【００５３】
図１２は、情報処理装置２によって行われる、遠隔電源制御装置５へのフリッカ測定装置４の電源をオフオンする制御信号を送信する処理（以下、電源制御処理Ｓ１２００と称する。）を説明するフローチャートである。以下、同図とともに電源制御処理Ｓ１２００について説明する。
【００５４】
まず情報処理装置２は、ユーザから遠隔電源制御装置５へのフリッカ測定装置４の電源をオフオンする旨の指示操作を受け付けたか否かを判断する（Ｓ１２１１）。ここでユーザは、例えば前述したフリッカ情報の受信状態に何等かの障害が発生している旨の報知を情報処理装置２から受けたことを契機として上記指示操作を行う。上記指示操作の受け付けは、例えば図１３に示す画面（以下、オフオン指示受付画面１３００と称する。）を介して行われる。ユーザは、オフオン指示受付画面１３００から、電源オフオン制御の対象となるフリッカ測定装置４を選択して指示を行う。
【００５５】
情報処理装置２は、指示操作を受け付けると（Ｓ１２１１：ＹＥＳ）、該当の遠隔電源制御装置５を対象とする（該当の遠隔電源制御装置５のＩＰアドレスを宛先とする）、フリッカ測定装置４の電源をオフオン制御する信号を載せたパケットを生成し、生成したパケットをインターネット５１を介して遠隔電源制御装置５に送信する（Ｓ１２１２）。これにより遠隔電源制御装置５は、併設されているフリッカ測定装置４の電源をオフオンする。その後はＳ１２１１に戻る。
【００５６】
以上に説明したように、本実施形態のフリッカ監視システム１にあっては、情報処理装置２がフリッカ測定装置４からフリッカに関する情報を閾値時間以上受信していないことを検知した場合、情報処理装置２がフリッカ測定装置４の電源をオフオンさせてフリッカ測定装置４を再起動させるので、フリッカ測定装置４に何等かの障害が生じてフリッカに関する情報の収集に支障が生じている場合に、遠隔地からフリッカ測定装置４の機能を復旧させることができる。そのため、情報処理装置２側でのフリッカに関する情報の欠落を最小限に抑えることができ、常時電力品質が監視されるミッションクリティカルな運用を実現することができる。
【００５７】
また上記のように遠隔地からフリッカ測定装置４の電源オフオン制御の仕組みを実現するためのハードウエアやソフトウエアとしては、インターネット５１等を介して接続されるパーソナルコンピュータ間の遠隔制御などに用いられる、既存の汎用的なものを利用することができるので、上記仕組みは容易かつ安価に実現することができる。
【００５８】
フリッカ情報の受信間隔については、フリッカ測定装置４から受信した情報を特定のファイル（フリッカ情報ファイル２２１）に集約して管理し、現在時刻とファイルのタイムスタンプとの時間差を算出することで取得するので、複雑な仕組みや新たなハードウエアを追加することなく、フリッカ測定装置４からのフリッカ情報の受信状態を監視する仕組みを容易に実現することができる。
【００５９】
またフリッカ測定装置４としては、電源をオフオンすることにより、フリッカに関する情報を取得する機能、及びその情報を情報処理装置２に送信する機能を自動的に初期化する機能を有するものを用いるので、障害が発生しているフリッカ測定装置４の機能をオフオン制御によって確実に復旧させることができる。
【００６０】
またユーザは警報装置３によって異常の発生を迅速に知ることができる。そしてユーザはこの異常情報の出力をフリッカ測定装置４から受信したフリッカ情報を詳細に調査するための契機とすることができ、ユーザはフリッカの異常に対して迅速に対策を講じることができる。またユーザのフリッカ情報の監視負担を軽減することができる。
【００６１】
また情報処理装置２とフリッカ測定装置４との間、及び情報処理装置２と遠隔電源制御装置５との間のいずれについても、インターネット５１を介して接続しているので、フリッカ測定装置４から情報処理装置２へのフリッカ情報の送信、及び情報処理装置２からの遠隔電源制御装置５の制御を共通のプロトコルに従って行うことができ、各装置の通信インタフェースの簡素化及び共通化を図ることができる。
【００６２】
尚、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。例えば本発明は、以上に説明したような情報処理装置２とフリッカ測定装置４とを備えたシステムのように、随時測定装置から情報処理装置に情報を通知する形態をとる他の様々なシステムに拡張して適用することができる。
【符号の説明】
【００６３】
１  フリッカ監視システム
２  情報処理装置
２１１  オペレーティングシステム
２１２  データ受信部
２１３  ファイル更新部
２１４  障害監視部
２１５  電源制御信号送信部
３  警報装置
３１１  接点信号受信部
３１２  警報出力部
４  フリッカ測定装置
４１１  初期化処理部
４１２  電圧電流測定部
４１３  フリッカ情報生成部
４１４  データ伝送処理部
４１５  警報接点制御部
５  遠隔電源制御装置
５１１  制御信号受信部
５１２  電源オフオン制御部
６  警報接点
５１  インターネット
５２  専用線
Ｓ１０００  フリッカ情報受信処理
Ｓ１１００  受信状態監視処理
Ｓ１２００  電源制御処理
１３００  オフオン指示受付画面
【図１】
2012060826.tif 000003
【図２】
2012060826.tif 000004
【図３】
2012060826.tif 000005
【図４】
2012060826.tif 000006
【図５】
2012060826.tif 000007
【図６】
2012060826.tif 000008
【図７】
2012060826.tif 000009
【図８】
2012060826.tif 000010
【図９】
2012060826.tif 000011
【図１０】
2012060826.tif 000012
【図１１】
2012060826.tif 000013
【図１２】
2012060826.tif 000014
【図１３】
2012060826.tif 000015